(57)【要約】      （修正有）【課題】玩具銃のバレル交換を容易とする。【解決手段】玩具銃１１のバレルキャッチ３１は、中心にバレル２１を貫通させる、バレル２１外周よりも径大からなるバレル貫通孔を有する。更に、玩具銃本体１２に設けるバレル取付け部１３に設ける、開口部１５に露出する押圧部３３の反対側孔内周にバレル２１を嵌合して取り付けるバレル嵌合部を有する。更に、玩具銃本体１２に設けるバレルキャッチ収納部１４に、押圧部３３と押圧部３３の反対側方向に摺動可能に収納する。バレル２１は、バレル２１をバレルキャッチ３１に貫通させたときの、バレルキャッチ３１に設けたバレル嵌合部との当接箇所に、バレル嵌合部と嵌合可能なバレルキャッチ嵌合部を有する。バレル２１は、バレルキャッチ３１に設けたバレル貫通孔に、バレルキャッチ３１の押圧部３３と押圧部３３の反対側方向に摺動可能に貫通する。【選択図】図１
2020106260.tif 000002
【特許請求の範囲】
【請求項１】
玩具銃本体と、バレルと、バレルキャッチとを有し、
玩具銃本体は、
バレルを取り付けるバレル取付け部を有し、
バレル取付け部には、バレルキャッチを収納するバレルキャッチ収納部を有し、
バレルキャッチ収納部表面には、バレルキャッチの一部である押圧部が露出する開口部を有し、
バレルキャッチは、
中心にバレルを貫通する、バレル外周よりも径大からなるバレル貫通孔を有し、
開口部に露出する押圧部の反対側孔内周にバレルを嵌合して取り付けるバレル嵌合部を有し、
バレルキャッチ収納部に、押圧部及び押圧部の反対側方向に摺動可能に収納し、
バレルは、
バレルをバレルキャッチに貫通させたときの、バレルキャッチに設けたバレル嵌合部との当接箇所に、バレル嵌合部と嵌合可能なバレルキャッチ嵌合部を有し、
バレルキャッチに設けたバレル貫通孔に、バレルキャッチの押圧部及び押圧部の反対側方向に摺動可能に貫通する、ことを特徴とする玩具銃。
【請求項２】
バレルキャッチに設けたバレル嵌合部は、湾曲凸状断面からなり、バレルに設けたバレルキャッチ嵌合部は、バレル嵌合部の凸状に嵌合可能な湾曲凹状断面とする、ことを特徴とする請求項１記載の玩具銃。
【請求項３】
押圧部をバレル側に押すことで、バレルキャッチは、スライド移動し、バレルのバレルキャッチ嵌合部とバレルキャッチのバレル嵌合部との嵌合を解除することでバレルとバレルキャッチとの固定を解除し、押圧部をバレル側に押すのを解除することで、バレル嵌合部とバレルキャッチ嵌合部が嵌合してバレルとバレルキャッチとを固定する請求項１又は請求項２のいずれか記載の玩具銃。
【請求項４】
バレルはアウターバレルである請求項１又は請求項２又は請求項３のいずれか記載の玩具銃。
【請求項５】
バレル外周よりも押圧部と押圧部の反対側方向に径大からなるバレル貫通孔からなる請求項１又は請求項２又は請求項３又は請求項４のいずれか記載の玩具銃。
【請求項６】
バレル取付け部には、バレルキャッチを収納する、バレルキャッチ外周よりも押圧部及び押圧部の反対側方向に径大からなるバレルキャッチ収納部を有する請求項１又は請求項２又は請求項３又は請求項４又は請求項５のいずれか記載の玩具銃。
【請求項７】
バレルキャッチは、可撓性を有する請求項１又は請求項２又は請求項３又は請求項４又は請求項５又は請求項６のいずれか記載の玩具銃。
【請求項８】
バレルを貫通させて、玩具銃本体に、収納するバレルキャッチであって、
玩具銃本体は、
バレルを取り付けるバレル取付け部を有し、
バレル取付け部には、バレルキャッチを収納するバレルキャッチ収納部を有し、
バレルキャッチ収納部表面には、バレルキャッチの一部である押圧部が露出する開口部を有し、
バレルキャッチは、
中心にバレルを貫通する、バレル外周よりも径大からなるバレル貫通孔を有し、
開口部に露出する押圧部の反対側孔内周にバレルを嵌合して取り付けるバレル嵌合部を有し、
バレルキャッチ収納部に、押圧部及び押圧部の反対側方向に摺動可能に収納し、
バレルは、
バレルをバレルキャッチに貫通させたときの、バレルキャッチに設けたバレル嵌合部との当接箇所に、バレル嵌合部と嵌合可能なバレルキャッチ嵌合部を有し、
バレルキャッチに設けたバレル貫通孔に、バレルキャッチの押圧部及び押圧部の反対側方向に摺動可能に貫通する、ことを特徴とするバレルキャッチ。
【請求項９】
バレルキャッチに設けたバレル嵌合部は、湾曲凸状断面からなり、バレルに設けたバレルキャッチ嵌合部は、バレル嵌合部の凸状に嵌合可能な湾曲凹状断面とする、ことを特徴とする請求項８記載のバレルキャッチ。
【請求項１０】
押圧部をバレル側に押すことで、バレルキャッチは、スライド移動し、バレルのバレルキャッチ嵌合部とバレルキャッチのバレル嵌合部との嵌合を解除することでバレルとバレルキャッチとの固定を解除し、押圧部をバレル側に押すのを解除することで、バレル嵌合部とバレルキャッチ嵌合部が嵌合してバレルとバレルキャッチとを固定する請求項８又は請求項９記載のバレルキャッチ。
【請求項１１】
バレルはアウターバレルである請求項８又は請求項９又は請求項１０のいずれか記載のバレルキャッチ。
【請求項１２】
バレル外周よりも押圧部と押圧部の反対側方向に径大からなるバレル貫通孔からなる請求項８又は請求項９又は請求項１０又は請求項１１のいずれか記載のバレルキャッチ。
【請求項１３】
バレル取付け部には、バレルキャッチを収納する、バレルキャッチ外周よりも押圧部及び押圧部の反対側方向に径大からなるバレルキャッチ収納部を有する請求項８又は請求項９又は請求項１０又は請求項１１又は請求項１２のいずれか記載のバレルキャッチ。
【請求項１４】
バレルキャッチは、可撓性を有する請求項８又は請求項９又は請求項１０又は請求項１１または請求項１２又は請求項１３のいずれか記載のバレルキャッチ。
【請求項１５】
玩具銃本体に収納するバレルキャッチに、貫通させるバレルであって、
玩具銃本体は、
バレルを取り付けるバレル取付け部を有し、
バレル取付け部には、バレルキャッチを収納するバレルキャッチ収納部を有し、
バレルキャッチ収納部表面には、バレルキャッチの一部である押圧部が露出する開口部を有し、
バレルキャッチは、
中心にバレルを貫通する、バレル外周よりも径大からなるバレル貫通孔を有し、
開口部に露出する押圧部の反対側孔内周にバレルを嵌合して取り付けるバレル嵌合部を有し、
バレルキャッチ収納部に、押圧部及び押圧部の反対側方向に摺動可能に収納し、
バレルは、
バレルをバレルキャッチに貫通させたときの、バレルキャッチに設けたバレル嵌合部との当接箇所に、バレル嵌合部と嵌合可能なバレルキャッチ嵌合部を有し、
バレルキャッチに設けたバレル貫通孔に、バレルキャッチの押圧部及び押圧部の反対側方向に摺動可能に貫通する、ことを特徴とするバレル。
【請求項１６】
バレルキャッチに設けたバレル嵌合部は、湾曲凸状断面からなり、バレルに設けたバレルキャッチ嵌合部は、バレル嵌合部の凸状に嵌合可能な湾曲凹状断面とする、ことを特徴とする請求項１５記載のバレル。
【請求項１７】
押圧部をバレル側に押すことで、バレルキャッチは、スライド移動し、バレルのバレルキャッチ嵌合部とバレルキャッチのバレル嵌合部との嵌合を解除することでバレルとバレルキャッチとの固定を解除し、押圧部をバレル側に押すのを解除することで、バレル嵌合部とバレルキャッチ嵌合部が嵌合してバレルとバレルキャッチとを固定する請求項１５又は請求項１６のいずれか記載のバレル。
【請求項１８】
バレルはアウターバレルである請求項１５記載又は請求項１６又は請求項１７のいずれか記載のバレル。
【請求項１９】
バレル外周よりも押圧部と押圧部の反対側方向に径大からなるバレル貫通孔からなる請求項１５記載又は請求項１６又は請求項１７又は請求項１８のいずれか記載のバレル。
【請求項２０】
バレル取付け部には、バレルキャッチを収納する、バレルキャッチ外周よりも押圧部及び押圧部の反対側方向に径大からなるバレルキャッチ収納部を有する請求項１５記載又は請求項１６又は請求項１７又は請求項１８又は請求項１９のいずれか記載のバレル。
【請求項２１】
バレルキャッチは、可撓性を有する請求項１５記載又は請求項１６又は請求項１７又は請求項１８又は請求項１９又は請求項２０のいずれか記載のバレル。
【発明の詳細な説明】
【技術分野】
【０００１】
本発明は、玩具銃に係る。詳細には、エアガン（空気銃）、更に詳細には、エアガン及び、エアガンに用いられる銃身であるバレル及びバレルをエアガンに取り付けるバレルキャッチに係る。
【背景技術】
【０００２】
玩具銃では、弾の成形不良等により、バレル内に弾が詰まることは比較的多い。
従来、玩具銃では、バレルに弾が挟まった場合、それ以降使用できなくなるのを解消するため、棒状物を銃口から差し入れて、詰まった弾を取り除く方法が主にとられる。しかし、取り除く際、誤作動により気室内のガスが放出されてしまう問題がある。
そのため、玩具銃の使用者が、簡単に玩具銃本体からバレルユニットを取り外し、バレル単体でメンテナンスできるようにする必要がある。
【０００３】
特許文献１「電動式玩具銃及び該玩具銃に用いる弾支持部材」は、「弾が落ちず更に途中で詰まったりしない弾支持部材を得ること。」を目的とする（特許文献１要約  目的）。そのため、本件発明とは目的を異にする。
【０００４】
他方、従来の玩具銃のバレルは、玩具銃本体のメカフレームに強固に取り付けられていたので、インナーバレルを延長すると弾速が高まることは知られていたが、その交換は容易ではなかった。そのため、製品によっては、バレル長を変更するにすぎなくても、別製品の玩具銃として販売せざるを得なかった。
【０００５】
更に、一般的な玩具銃のアクセサリーとしては、サイレンサーがある。但し、実銃ではサイレンサーは、消音器として機能するが、玩具銃ではサイレンサーは、見た目だけである。そのサイレンサーを玩具銃に取り付ける場合、アウターバレルにネジ切をする等の必要がある。そのため、見た目を損なう場合もあった。また、バレルとサイレンサーの接合部の強度不足が生ずる問題もあった。
【先行技術文献】
【特許文献】
【０００６】
【特許文献１】特開平６−１２３５９４公報
【発明の概要】
【発明が解決しようとする課題】
【０００７】
本発明の目的は、玩具銃のバレル交換が容易とすることにある。さらに、ロングバレルやサイレンサー付きの強度を保ったバレルユニットを玩具銃に提供することが可能とすることにある。
【課題を解決するための手段】
【０００８】
この発明の玩具銃は、
玩具銃本体と、バレルと、バレルキャッチとを有し、
玩具銃本体は、
バレルを取り付けるバレル取付け部を有し、
バレル取付け部には、バレルキャッチを収納するバレルキャッチ収納部を有し、
バレルキャッチ収納部表面には、バレルキャッチの一部である押圧部が露出する開口部を有し、
バレルキャッチは、
中心にバレルを貫通する、バレル外周よりも径大からなるバレル貫通孔を有し、
開口部に露出する押圧部の反対側孔内周にバレルを嵌合して取り付けるバレル嵌合部を有し、
バレルキャッチ収納部に、押圧部及び押圧部の反対側方向に摺動可能に収納し、
バレルは、
バレルをバレルキャッチに貫通させたときの、バレルキャッチに設けたバレル嵌合部との当接箇所に、バレル嵌合部と嵌合可能なバレルキャッチ嵌合部を有し、
バレルキャッチに設けたバレル貫通孔に、バレルキャッチの押圧部及び押圧部の反対側方向に摺動可能に貫通する、ことを特徴とする玩具銃、
を、提供する。
【０００９】
この発明の玩具銃は更に、
バレルキャッチに設けたバレル嵌合部は、湾曲凸状断面からなり、バレルに設けたバレルキャッチ嵌合部は、バレル嵌合部の凸状に嵌合可能な湾曲凹状断面とする、ことを特徴とする玩具銃、
を、提供する。
【００１０】
この発明の玩具銃は更に、
押圧部をバレル側に押すことで、バレルキャッチは、スライド移動し、バレルのバレルキャッチ嵌合部とバレルキャッチのバレル嵌合部との嵌合を解除することでバレルとバレルキャッチとの固定を解除し、押圧部をバレル側に押すのを解除することで、バレル嵌合部とバレルキャッチ嵌合部が嵌合してバレルとバレルキャッチとを固定する、ことを特徴とする玩具銃、
を、提供する。
【００１１】
この発明の玩具銃は更に、
バレルはアウターバレルである。
【００１２】
この発明の玩具銃は更に、
バレル外周よりも押圧部及び押圧部の反対側方向に径大からなるバレル貫通孔からなる。
【００１３】
この発明の玩具銃は更に、
バレル取付け部には、バレルキャッチを収納する、バレルキャッチ外周よりも押圧部と押圧部の反対側方向に径大からなるバレルキャッチ収納部を有する。
【００１４】
この発明の玩具銃は更に、
バレルキャッチは、可撓性を有する。
【００１５】
この発明のバレルキャッチは、
バレルを貫通させて、玩具銃本体に、収納するバレルキャッチであって、
玩具銃本体は、
バレルを取り付けるバレル取付け部を有し、
バレル取付け部には、バレルキャッチを収納するバレルキャッチ収納部を有し、
バレルキャッチ収納部表面には、バレルキャッチの一部である押圧部が露出する開口部を有し、
バレルキャッチは、
中心にバレルを貫通する、バレル外周よりも径大からなるバレル貫通孔を有し、
開口部に露出する押圧部の反対側孔内周にバレルを嵌合して取り付けるバレル嵌合部を有し、
バレルキャッチ収納部に、押圧部及び押圧部の反対側方向に摺動可能に収納し、
バレルは、
バレルをバレルキャッチに貫通させたときの、バレルキャッチに設けたバレル嵌合部との当接箇所に、バレル嵌合部と嵌合可能なバレルキャッチ嵌合部を有し、
バレルキャッチに設けたバレル貫通孔に、バレルキャッチの押圧部及び押圧部の反対側方向に摺動可能に貫通する、ことを特徴とするバレルキャッチを、
提供する。
【００１６】
この発明のバレルキャッチは更に、
バレルキャッチに設けたバレル嵌合部は、湾曲凸状断面からなり、バレルに設けたバレルキャッチ嵌合部は、バレル嵌合部の凸状に嵌合可能な湾曲凹状断面とする、ことを特徴とするバレルキャッチ、
を、提供する。
【００１７】
この発明のバレルキャッチは、更に、
押圧部をバレル側に押すことで、バレルキャッチは、スライド移動し、バレルのバレルキャッチ嵌合部とバレルキャッチのバレル嵌合部との嵌合を解除することでバレルとバレルキャッチとの固定を解除し、押圧部をバレル側に押すのを解除することで、バレル嵌合部とバレルキャッチ嵌合部が嵌合してバレルとバレルキャッチとを固定する、ことを特徴とするバレルキャッチ、
を、提供する。
【００１８】
この発明の玩具銃は更に、
バレルはアウターバレルである。
【００１９】
この発明のバレルキャッチは、更に、
バレル外周よりも押圧部及び押圧部の反対側方向に径大からなるバレル貫通孔からなる。
【００２０】
この発明のバレルキャッチは、更に、
バレル取付け部には、バレルキャッチを収納する、バレルキャッチ外周よりも押圧部及び押圧部の反対側方向に径大からなるバレルキャッチ収納部を有する。
【００２１】
この発明のバレルキャッチは、更に、
バレルキャッチは、可撓性を有する。
【００２２】
この発明のバレルは、
玩具銃本体に収納するバレルキャッチに、貫通させるバレルであって、
玩具銃本体は、
バレルを取り付けるバレル取付け部を有し、
バレル取付け部には、バレルキャッチを収納するバレルキャッチ収納部を有し、
バレルキャッチ収納部表面には、バレルキャッチの一部である押圧部が露出する開口部を有し、
バレルキャッチは、
中心にバレルを貫通する、バレル外周よりも径大からなるバレル貫通孔を有し、
開口部に露出する押圧部の反対側孔内周にバレルを嵌合して取り付けるバレル嵌合部を有し、
バレルキャッチ収納部に、押圧部及び押圧部の反対側方向に摺動可能に収納し、
バレルは、
バレルをバレルキャッチに貫通させたときの、バレルキャッチに設けたバレル嵌合部との当接箇所に、バレル嵌合部と嵌合可能なバレルキャッチ嵌合部を有し、
バレルキャッチに設けたバレル貫通孔に、バレルキャッチの押圧部及び押圧部の反対側方向に摺動可能に貫通する、ことを特徴とするバレルを、
提供する。
【００２３】
この発明のバレルは更に、
バレルキャッチに設けたバレル嵌合部は、湾曲凸状断面からなり、バレルに設けたバレルキャッチ嵌合部は、バレル嵌合部の凸状に嵌合可能な湾曲凹状断面とする、ことを特徴とするバレル、
を、提供する。
【００２４】
この発明のバレルは、更に、
押圧部をバレル側に押すことで、バレルキャッチは、スライド移動し、バレルのバレルキャッチ嵌合部とバレルキャッチのバレル嵌合部との嵌合を解除することでバレルとバレルキャッチとの固定を解除し、押圧部をバレル側に押すのを解除することで、バレル嵌合部とバレルキャッチ嵌合部が嵌合してバレルとバレルキャッチとを固定する、ことを特徴とするバレル、
を、提供する。
【００２５】
この発明の玩具銃は更に、
バレルはアウターバレルである。
【００２６】
この発明のバレルは、更に、
バレル外周よりも押圧部と押圧部の反対側方向に径大からなるバレル貫通孔からなる。
【００２７】
この発明のバレルは、更に、
バレル取付け部には、バレルキャッチを収納する、バレルキャッチ外周よりも押圧部及び押圧部の反対側方向に径大からなるバレルキャッチ収納部を有する。
【００２８】
この発明のバレルは、更に、
バレルキャッチは、可撓性を有する。
【発明の効果】
【００２９】
押圧部をバレル側に押すことで、バレルキャッチは、スライド移動し、バレルのバレルキャッチ嵌合部とバレルキャッチのバレル嵌合部との嵌合を解除することでバレルとバレルキャッチとの固定を解除する。
押圧部をバレル側に押すのを解除することで、バレル嵌合部とバレルキャッチ嵌合部が嵌合してバレルとバレルキャッチとを固定する。
本発明によれば、バレル交換が容易となり、ロングバレルやサイレンサー付きの強度を保ったバレルユニットを提供することが可能である。また、製品の幅を広げることも可能である。
【００３０】
この発明では、バレルを玩具銃に取り付けるバレルキャッチに設けたバレル嵌合部は、湾曲凸状断面からなり、バレルのバレルキャッチ嵌合部を、バレル嵌合部の凸状に嵌合可能な湾曲凹状断面にすれば、バレル嵌合部とバレルキャッチ嵌合部とを、略湾曲状断面同士を相互に嵌合して取り付けることが可能となる。そのため、バレルキャッチとは別途に、バレル嵌合部とバレルキャッチ嵌合部との嵌合手段を設けなくとも済む。
更に、バレル嵌合部とバレルキャッチ嵌合部とを、略湾曲状断面同士を相互に嵌合して取り付けるため、嵌合は円滑となる。
【図面の簡単な説明】
【００３１】
【図１】この発明の実施の形態に係る実施例に係るバレルを含めた玩具銃上部に被さるスライドを引き抜き、上部の内部が露出した状態の玩具銃の斜視図である。
【図２】この発明の実施の形態に係る実施例に係るバレルを含めた玩具銃上部に被さるスライドを引き抜き、バレルキャッチ（アウターバレルキャッチ）を押し込んだ、上部の内部が露出した状態の玩具銃の斜視図である。
【図３】この発明の実施の形態に係る実施例に係るバレルを含めた玩具銃上部に被さるスライドおよびバレル（アウターバレル）を引き抜き、バレルキャッチ（アウターバレルキャッチ）を押し込んだ、上部の内部が露出した状態の玩具銃の斜視図である。
【図４】この発明の実施の形態に係る実施例に係る玩具銃のバレル（アウターバレル）とバレルキャッチ（アウターバレルキャッチ）の組み立て前の斜視図である。
【図５】この発明の実施の形態に係る実施例に係る玩具銃のバレル（アウターバレル）とバレルキャッチ（アウターバレルキャッチ）の嵌合状態の斜視図である。
【図６】この発明の実施の形態に係る実施例に係る玩具銃のバレル（アウターバレル）とバレルキャッチ（アウターバレルキャッチ）の嵌合解除状態の斜視図である。
【図７】この発明の実施の形態に係る実施例に係る玩具銃のバレル（アウターバレル）とバレルキャッチ（アウターバレルキャッチ）の嵌合状態の中央断面図である。
【図８】この発明の実施の形態に係る実施例に係る玩具銃の図７のＡＡ断面図である。
【図９】この発明の実施の形態に係る実施例に係る玩具銃のバレル（アウターバレル）とバレルキャッチ（アウターバレルキャッチ）の嵌合解除状態の中央断面図である。
【図１０】この発明の実施の形態に係る実施例に係る玩具銃の図９のＢＢ断面図である。
【図１１】この発明の実施の形態に係る実施例に係る玩具銃のバレル（アウターバレル）の正面図である。
【図１２】この発明の実施の形態に係る実施例に係る玩具銃のバレル（アウターバレル）の中央断面図である。
【図１３】この発明の実施の形態に係る実施例に係る玩具銃のバレル（アウターバレル）の正面図である。
【図１４】この発明の実施の形態に係る実施例に係る玩具銃のバレル（アウターバレル）の正面図である。
【図１５】この発明の実施の形態に係る実施例に係る玩具銃のバレル（アウターバレル）の分解斜視図である。
【図１６】この発明の実施の形態に係る実施例に係る玩具銃の組み立て斜視図である。
【発明を実施するための形態】
【００３２】
この発明の実施の一形態に係る実施例を、この発明の実施例を図示する図面に基づいて
説明する。
玩具銃１１は、玩具銃本体１２と、銃身であるバレル２１と、アウターバレルキャッチであるバレルキャッチ３１とを有する。
【００３３】
バレル２１は、バレル２１の外側を構成する円筒状からなるアウターバレル２２と、同じく円筒状からなり、バレル２１の内側を構成するインナーバレル２３とからなる。玩具銃１１から発射される弾丸は、インナーバレル２３内を通過する。
バレル２１は、図１１乃至図１５に図示するように、インナーバレル２３はスプリング２５を介して、アウターバレル２２内に取り付ける。インナーバレル２３は、スプリング２５により玩具銃１１後端側へ付勢される。
【００３４】
バレル２１には、図３、図４、図１５、図１６等に図示するように、軸の途中にバレルキャッチ嵌合部２４を設ける。バレルキャッチ嵌合部２４は、バレル２１軸下半分に表面から帯状に内側に凹んだ断面凹状からなる。バレルキャッチ嵌合部２４は、湾曲した凹状断面となる。バレル２１軸下半分の幅それ自体を嵌合部としている。
バレルキャッチ嵌合部２４は、バレル２１をバレルキャッチ３１に貫通させたときの、バレルキャッチ３１に設けたアウターバレル嵌合部であるバレル嵌合部３４との当接箇所に設ける。バレルキャッチ嵌合部２４は、バレル２１内側に凹み、断面は湾曲凹状からなる。そのため、バレルキャッチ嵌合部２４は、同じく断面は略湾曲型からなるバレル嵌合部３４と嵌合可能である。
【００３５】
バレル２１は、アウターバレルキャッチであるバレルキャッチ３１に設けたバレル貫通孔３２に貫通する。バレル貫通孔３２は、バレル２１外周よりも押圧部３３と押圧部３３の反対側方向に径大からなる。そのため、バレル２１は、バレルキャッチ３１の押圧部３３及び押圧部３３の反対側方向に摺動可能である。バレル２１とバレルキャッチ３１は、押圧部３３及び押圧部３３の反対側方向に相対的に摺動すればよい。
【００３６】
２６は、チャンバーである。チャンバー２６は、発射直前の弾丸を保持する部材である。チャンバー２６は、アウターバレル２２の玩具銃後端側端部に嵌合する。
アウターバレル２２、インナーバレル２３、スプリング２５、チャンバー２６等でバレルユニットを構成する。
２６１は、チャンバー凸部である。チャンバー凸部２６１は、図１５に図示するように、チャンバー２６の側部に設け、バレルユニットのアウターバレル２２銃口後部側部に設けた切欠部２７に係止する。
【００３７】
図１１はバレルユニットの側面図、図１２は同側面断面図である。アウターバレル２２インナーバレル２３からなるバレル２１に、チャンバー２６を挿入する。
図１３は、図１１、図１２の状態から、バレル２１に挿入したチャンバー２６のチャンバー凸部２６１をアウターバレル２２の切欠部２７から離した状態を示す。図１４は、図１３の状態からチャンバー２６を操作者側から見て左回りに回した状態を示し、チャンバー２６はバレルユニットから外れる態勢になる。
チャンバー凸部２６１を回動してチャンバー２６を、バレルユニットのアウターバレル２２に挿入し、アウターバレル２２の切欠部２７に引っ掛けることでチャンバー２６をアウターバレル２２に固定する。
【００３８】
１３は、バレル取付け部である。バレル取付け部１３は、玩具銃本体１２上部に取り付けるバレル２１後方位置に水平に設ける。バレル２１は、図３に図示するように、バレル２１基部を、バレル取付け部１３に水平に差し込んで、取り付け固定する。
１４は、バレルキャッチ収納部である。バレルキャッチ収納部１４は、バレル取付け部１３に孔状にあるいは凹状に設ける。バレルキャッチ収納部１４には、バレルキャッチ３１を収納する。
バレル取付け部１３のバレルキャッチ収納部１４表面には、バレルキャッチの一部である押圧部３３が露出する開口部１５を有する。
【００３９】
アウターバレルキャッチであるバレルキャッチ３１は、全体として幅広のリング状で湾曲状断面からなり、中心に、バレル２１外周よりも径大からなるバレル貫通孔３２を有する。
バレルキャッチ３１には、中心にバレル２１を貫通させてバレル２１を取り付けて、バレルキャッチ３１ごと玩具銃本体１２に取り付ける。
【００４０】
３３は、押圧部である。押圧部３３は、リング状からなるバレルキャッチ３１の外周の一部からなる。
３４は、アウターバレル嵌合部であるバレル嵌合部である。バレル嵌合部３４は、バレル２１のバレルキャッチ嵌合部２４を嵌合可能な形状からなる。この実施例では、バレル嵌合部３４は、バレルキャッチ嵌合部２４と略同幅のバレルキャッチ３１内径全幅からなる帯状の凸状で、湾曲した断面からなる。バレル嵌合部３４は、押圧部３３の反対側孔内周を含め、バレルキャッチ３１内径全周に亘って設ける。バレルキャッチ３１の幅それ自体を嵌合部であるバレル嵌合部３４としている。
バレル嵌合部３４には、押圧部３３の反対側孔内周で、バレル２１のバレルキャッチ嵌合部２４を、断面略湾曲形状同士を相互に嵌合して取り付ける。
バレルキャッチ３１は、バレルキャッチ収納部１４に、押圧部３３と押圧部３３の反対側方向に摺動可能に収納する。
【００４１】
バレル貫通孔３２は、図８、図１０に図示するように、バレル２１外周よりも押圧部３３と押圧部３３の反対側方向に径大からなる。そのため、バレル２１は、バレルキャッチ３１の押圧部３３と押圧部３３の反対側方向に摺動可能である。バレル２１をバレル貫通孔３２に貫通させると、空間部Ｓが、押圧部３３下部に生ずる。バレルキャッチ収納部１４はバレルキャッチ３１外周よりも押圧部３３と押圧部３３の反対側方向に径大からなる。そのため、バレルキャッチ３１は、バレルキャッチ収納部１４内で、押圧部３３と押圧部３３の反対側方向に摺動可能である。
アウターバレルキャッチであるバレルキャッチ３１は、可撓性を有する。
バレルキャッチ収納部１４表面の開口部１５には、押圧部３３が露出する。
【００４２】
図２、図３、図５乃至図１０に図示するように、押圧部３３をバレル２１側に押し下げることで、図１、図５、図７、図８に図示する状態から、図２、図６、図９、図１０に図示する状態に、アウターバレルキャッチであるバレルキャッチ３１は、スライド移動する。このとき、空間部Ｓは、押圧部３３と反対側のバレル２１下部に生じている。そのため、バレル２１のバレルキャッチ嵌合部２４とバレルキャッチ３１のバレル嵌合部３４との嵌合を解除する。
バレル２１のバレルキャッチ嵌合部２４とバレルキャッチ３１のバレル嵌合部３４との嵌合を解除することで、バレル２１とバレルキャッチ３１との固定を解除する。
【００４３】
バレル２１とバレルキャッチ３１との固定を解除により、バレル２１を玩具銃本体１２のバレル取付け部１３から取り外すことができる。
押圧部３３をバレル２１側に押し下げることなく、バレル嵌合部３４とバレルキャッチ嵌合部２４を嵌合させることで、バレル２１とバレルキャッチ３１とを固定する。このとき、空間部Ａは、押圧部３３下部に生じている。
そのため、バレル２１をバレル取付け部１３に差し込み、玩具銃本体１２に固定することができる。
【００４４】
この実施例では、バレル２１を玩具銃本体１２に取り付けるバレルキャッチ３１に設けたバレル嵌合部３４は、バレル嵌合部３４内径全幅からなる帯状で、湾曲凸状断面からなる。バレル２１のバレルキャッチ嵌合部２４を、バレル嵌合部３４の凸状に嵌合可能な湾曲凹状断面にするので、バレル嵌合部３４とバレルキャッチ嵌合部２４とを、略湾曲状断面同士を相互に嵌合して取り付けることが可能となる。いわば、バレル２１、バレルキャッチ３１の幅それ自体を嵌合部としている。そのため、バレルキャッチ３１とは別途、バレル嵌合部３４とバレルキャッチ嵌合部２４との嵌合手段を設けなくとも済む。
【００４５】
バレル２１は、玩具銃本体１２から取り外しが、容易に行える。そのため、図１６に図示するように、バレル２１は、バレルユニット２１Ａ、バレルユニット２１Ｂ、バレルユニット２１Ｃのように様々のタイプのバレルユニットに交換可能であり、短いバレルユニット２１Ａ、長いバレルユニット２１Ｂ、サイレンサーを模したより長いバレルユニット２１Ｃを使用可能である。
更に、バレル嵌合部とバレルキャッチ嵌合部とを、略湾曲状断面同士を相互に嵌合して取り付けるため、嵌合は円滑となる。
【００４６】
他の実施例としては、バレルキャッチ（アウターバレルキャッチ）３１のバレル嵌合部（アウターバレル嵌合部）３４に設ける凹部、アウターバレル２２のバレルキャッチ嵌合部２４に設ける凸部の断面をそれぞれＵ字状とする。
要するに、嵌合部（アウターバレル嵌合部）３４とバレルキャッチ嵌合部２４の両者が嵌合しあるいは嵌合を解除すればよい。
【符号の説明】
【００４７】
１１    玩具銃
１２    玩具銃本体
１３    バレル取付け部
１４    バレルキャッチ収納部
１５    開口部
２１    バレル（銃身）
２２    アウターバレル
２３    インナーバレル
２４    バレルキャッチ嵌合部
３１    バレルキャッチ（アウターバレルキャッチ）
３２    バレル貫通孔
３３    押圧部
３４    バレル嵌合部（アウターバレル嵌合部）
【図１】
2020106260.tif 000003
【図２】
2020106260.tif 000004
【図３】
2020106260.tif 000005
【図４】
2020106260.tif 000006
【図５】
2020106260.tif 000007
【図６】
2020106260.tif 000008
【図７】
2020106260.tif 000009
【図８】
2020106260.tif 000010
【図９】
2020106260.tif 000011
【図１０】
2020106260.tif 000012
【図１１】
2020106260.tif 000013
【図１２】
2020106260.tif 000014
【図１３】
2020106260.tif 000015
【図１４】
2020106260.tif 000016
【図１５】
2020106260.tif 000017
【図１６】
2020106260.tif 000018